(57)【要約】【課題】座板内部に設けた障害物検知装置の各構成要素の配置に何ら変更を加えることなく、障害物検知時における下座板の過度の傾動を規制することで、安定した信頼性のある障害物検知を行う。【解決手段】上座板１０と下座板１１間に下座板１１の上動によって障害物を検知する検知部材１２を設ける。上座板１０の内部には、一対の垂直案内面を有するガイド部材１３を設け、下座板１１に障害物が当接した時には、下座板１１は、下座板の一対の側辺１１０の各側辺が各垂直案内面に案内されて傾動が規制された状態で上動する。下座板１１が下限位置にある状態では、垂直案内面の下端側部位は、下座板１１の側辺１１０の上端部よりも下方に延出することで垂直案内面の下端側部位と下座板１１の側辺１１０の上端側部位が近接対向しており、下座板１１が上限位置にある状態では、下座板１１の側辺１１０の上端部の上方に配線空間Ｓが形成されている。【選択図】図６
2006233570.tif 000002
【特許請求の範囲】
【請求項１】
シャッターカーテン下端に設けた上座板と、該上座板に対して相対的に上動可能な下座板と、該上座板と該下座板間に設けられ該下座板の上動によって障害物を検知する検知部材とを備えており、
該上座板の内部には、一対の垂直案内面を有するガイド部材を設け、下座板に障害物が当接した時には、下座板は、下座板の一対の側辺の各側辺が各垂直案内面に案内されることで、傾動が規制された状態で上動し、
該下座板が該上座板に対して下限位置にある状態では、該垂直案内面の下端側部位は、該下座板の側辺の上端部よりも下方に延出することで垂直案内面の下端側部位と下座板の側辺の上端側部位が近接対向しており、該下座板が該上座板に対して上限位置にある状態では、下座板の側辺の上端部の上方に配線が延出するための配線空間が形成されていることを特徴とする障害物検知装置。
【請求項２】
シャッターカーテン下端に設けた上座板と、該上座板に対して相対的に上動可能な下座板と、該上座板と該下座板間に設けられ該下座板の上動によって障害物を検知する検知部材とを備えており、
該上座板の内部には、一対の垂直案内面を有する複数の短尺状のガイド部材を設け、下座板に障害物が当接した時には、下座板は、下座板の一対の側辺の各側辺が各垂直案内面に案内されることで、傾動が規制された状態で上動し、
該下座板が該上座板に対して下限位置にある状態では、該垂直案内面の下端側部位と下座板の側辺の上端側部位とが近接対向しており、
前記複数のガイド部材は、上座板の長さ方向に、該検知部材が設けられた位置を避けるように配設されていることを特徴とする障害物検知装置。
【請求項３】
請求項１において、複数の短尺状ガイド部材を、上座板の長さ方向に、該検知部材が設けられた位置を避けるように配設したことを特徴とする障害物検知装置。
【請求項４】
請求項２，３いずれかにおいて、上座板の内部には、複数の短尺状ガイド部材が、上座板の長さ方向に間隔を存して配設されており、該検知部材は前記複数のガイド部材の間に配設されていることを特徴とする障害物検知装置。
【請求項５】
請求項１乃至４いずれかにおいて、前記ガイド部材の少なくとも垂直案内面は樹脂から形成されていることを特徴とする障害物検知装置。
【請求項６】
請求項１乃至５いずれかにおいて、前記ガイド部材は断面視略コ字形状であることを特徴とする障害物検知装置。
【発明の詳細な説明】
【技術分野】
【０００１】
本発明は、障害物検知装置に係り、詳しくは、上座板と下座板から構成される障害物検知装置に関するものである。
【背景技術】
【０００２】
シャッター装置における障害物検知装置を、上座板と下座板とから構成したものが知られている（特許文献１参照）。図７は、このような障害物検知装置を示す図であって、シャッターカーテンの下端に設けた座板は、上座板１０と下座板１１とから構成されており、上座板内部には、揺動レバー１２２及び該レバーによって作動するマイクロスイッチが設けてある。このように構成された障害物検知装置において、シャッターカーテン下降時に下座板１１が障害物に当接すると、下座板１１が上座板１０に対して吊持された状態（図７左図）から、下座板１１が上座板１０に対して相対的に上動（図７中央図）し、これに連動して揺動レバー１２２が回動してマイクロスイッチが入ってシャッターカーテンの下降が停止される。
【０００３】
しかしながら、シャッターカーテン降下時に、シャッターカーテンの下端の下座板１１の角部が障害物に当接したり、斜めになった障害物と接触した場合、下座板と上座板が干渉して大きく傾く（図７右図）ため、揺動レバー１２２が回動せずに、障害物を感知できない惧れがあった。
【０００４】
ここで、障害物検知装置は、マイクロスイッチからの検知信号を座板内を長さ方向に延出する配線を用いて有線式で座板端部に設けた送信部に伝達しているため、座板内には配線のための空間を確保する必要がある。また、そもそも、障害物検知装置の検知部材自体が座板内に設けられている。したがって、座板内部の限られた空間をどのように利用するかも重要な課題となる。
【特許文献１】特許第３４５９２９７号
【発明の開示】
【発明が解決しようとする課題】
【０００５】
本発明は、座板内部に設けた障害物検知装置の各構成要素の配置に何ら変更を加えることなく、障害物検知時における下座板の過度の傾動を規制することで、安定した信頼性のある障害物検知を行うことができる障害物検知装置を提供することを目的とする。
【課題を解決するための手段】
【０００６】
本発明が採用した第１の障害物検知装置は、シャッターカーテン下端に設けた上座板と、該上座板に対して相対的に上動可能な下座板と、該上座板と該下座板間に設けられ該下座板の上動によって障害物を検知する検知部材とを備えており、該上座板の内部には、一対の垂直案内面を有するガイド部材を設け、下座板に障害物が当接した時には、下座板は、下座板の一対の側辺の各側辺が各垂直案内面に案内されることで、傾動が規制された状態で上動し、該下座板が該上座板に対して下限位置にある状態では、該垂直案内面の下端側部位は、該下座板の側辺の上端部よりも下方に延出することで垂直案内面の下端側部位と下座板の側辺の上端側部位が近接対向しており、該下座板が該上座板に対して上限位置にある状態では、下座板の側辺の上端部の上方に該検知部材によって検知された信号を伝達する配線が延出するための配線空間が形成されていることを特徴とする。一つの好ましい態様では、第１の障害物検知装置において、ガイド部材を複数の短尺状ガイド部材から構成し、各ガイド部材を、上座板の長さ方向に、該検知部材が設けられた位置を避けるように配設する。
【０００７】
本発明が採用した第２の障害物検知装置は、シャッターカーテン下端に設けた上座板と、該上座板に対して相対的に上動可能な下座板と、該上座板と該下座板間に設けられ該下座板の上動によって障害物を検知する検知部材とを備えており、該上座板の内部には、一対の垂直案内面を有する複数の短尺状のガイド部材を設け、下座板に障害物が当接した時には、下座板は、下座板の一対の側辺の各側辺が各垂直案内面に案内されることで、傾動が規制された状態で上動し、該下座板が該上座板に対して下限位置にある状態では、該垂直案内面の下端側部位と下座板の側辺の上端側部位とが近接対向しており、前記複数のガイド部材は、上座板の長さ方向に、該検知部材が設けられた位置を避けるように配設されていることを特徴とする。垂直案内面の下端側部位と下座板の側辺の上端側部位とが近接対向する態様は、垂直案内面の下端側部位が、該下座板の側辺の上端部よりも下方に延出することによるものが望ましいが、下座板の側辺の上端部に上方に突出する突片を形成してもよい。
【０００８】
複数の短尺状のガイド部材を設ける場合に、一つの態様では、上座板の内部には、複数の短尺状ガイド部材が、上座板の長さ方向に間隔を存して配設されており、該検知部材は前記複数のガイド部材の間に配設されている。また、短尺状のガイド部材は、少なくとも上座板の両端に位置させて設けることが望ましい。
【０００９】
好ましくは、ガイド部材の少なくとも垂直案内面は樹脂から形成されており、一つの態様では、ガイド部材全体が樹脂から形成されている。また、一つの好ましい態様では、ガイド部材は断面視略コ字形状である。
【発明の効果】
【００１０】
本発明では、ガイド部材の垂直案内面が下座板の座板横断方向の動き（傾動）を規制するので、下座板が障害物に片当たりしても、下座板が検知部材の側部にかみ込むようなことがない。したがって、下座板が障害物に片当たりした場合であっても、下座板は円滑に上動し、検知部材が障害物検知を検知することができる。
【００１１】
ガイド部材の垂直案内面の下端側部位を、該下座板の側辺の上端部よりも下方に延出させて、下座板が該上座板に対して上限位置にある場合に、下座板の側辺の上端部の上方に該検知部材によって検知された信号を伝達する配線が延出するための配線空間を形成することで、従来の障害物検知装置を構成する配線を妨げることなく、上座板内にガイド部材を設けることができ、ガイド部材を既存の障害物検知装置に後付けすることができる。
【００１２】
ガイド部材を複数の短尺状ガイド部材から構成し、複数のガイド部材を、上座板の長さ方向に、該検知部材が設けられた位置を避けるように配設することで、従来の障害物検知装置を構成する検知部材の配設を妨げることなく、上座板内にガイド部材を設けることができ、ガイド部材を既存の障害物検知装置に後付けすることができる。
【００１３】
ガイド部材の少なくとも垂直案内面を樹脂から形成したものでは、樹脂が有する低い摩擦係数によって、障害物が下座板に片当たりした場合であっても、垂直案内面が円滑に下座板の側辺を案内する。
【００１４】
ガイド部材を断面視略コ字形状としたものでは、側辺間の空間にワイヤーを通すことができ、ワイヤーを有する検知部材においても、ワイヤーと干渉させずにガイド部材を納めることができる。
【発明を実施するための最良の形態】
【００１５】
図１は、シャッター装置の概略正面図である。建物開口部の左右両側にガイドレール１が立設されており、シャッターカーテン２が、両端をガイドレール１に案内されながら上下動することで、建物開口部を開閉する。シャッターカーテン２は複数のスラット３を上下方向に連設することで構成されており、シャッターカーテン２の上端部は建物開口部の上方に架設された巻取シャフト４に連結されており、巻取シャフト４の回転に伴って、シャッターカーテン２が巻取シャフト４に巻装されて開口部を開放し、あるいは、巻取シャフト４に巻装されたシャッターカーテン２が繰り出されて開口部を閉鎖する。
【００１６】
巻取シャフト２は開閉機５に伝動連結されており、開閉機５からの出力によって回転するようになっている。シャッターカーテン２の開閉操作は、操作スイッチ６によって行われる。操作スイッチ６は制御部７を介して開閉機５に電気的に接続されており、操作スイッチ６の上昇ボタンが押されると、制御部７から開閉機５に開信号が送信され、開閉機５によってシャッターカーテン２を巻き取る方向に巻取シャフト４が回転される。操作スイッチ６の下降ボタンが押されると、制御部７から開閉機５に閉信号が送信され、開閉機５によってシャッターカーテン２を繰り出す方向に巻取シャフト４が回転される。操作スイッチ６の停止ボタンが押されると、制御部７を介して開閉機５への駆動信号が遮断されて、巻取シャフト４の回転が停止する。
【００１７】
シャッターカーテン１の下端には上座板１０と下座板１１とからなる座板が装着されており、上座板１０、下座板１１と上座板１０、下座板１１間に設けた検知部材１２で障害物検知を行う。検知した信号は座板の端部近傍に設けた送信部８に配線を介して有線で伝達され、送信部８に伝達された信号は、さらに、開口部上方に設けた受信部９に無線で送信される。受信部９が検知信号を受信すると、制御部７を介して開閉機５への駆動信号が遮断されて、巻取シャフト４の回転が停止する。
【００１８】
上座板１０、下座板１１は共に長尺部材から構成されている。上座板１０は最下端のスラット３に連結されており、下座板１１は、上座板１０に対して相対的に上動可能に吊持されている。
【００１９】
上座板１０は、最下端のスラット３に連結するための立ち上がり状の垂直辺１００と、水平状の上辺１０１と、対向状の側辺１０２，１０２と、側辺１０２，１０２の下端に形成された水平状の係止辺１０３，１０３とから構成されている。上辺１０１の下面には、断面視Ｌ形状の係止辺１０４，１０４が形成されている。上辺１０１の下面と側辺１０２，１０２の内面とで囲繞される空間に、後述する検知部材１２およびガイド部材１３を受け入れるようになっている。対向状の係止辺１０４，１０４によって形成される案内溝は、検知部材１２およびガイド部材１３の共通の装着部として機能する。
【００２０】
下座板１１は、対向状の側辺１１０，１１０と、側辺１１０，１１０の上端に形成された水平状の係止辺１１１，１１１と、側辺１１０，１１０の下端に形成さされた水平状の当接辺１１２，１１２と、当接辺１１２，１１２を一体的に連結する皿状の底辺１１３とから構成されている。
【００２１】
上座板１０と下座板１１とは、高さ方向に伸長した状態（下座板１１が上座板１０に対して下限位置にある状態）と伸縮した状態（下座板１１が上座板１０に対して上限位置にある状態）との間で姿態変更可能となっている。下座板１１が上座板１０に対して下限位置にある状態では、上座板１０の係止辺１０３の上面に下座板１１の係止辺１１１が係止した状態であり、下座板１１は上座板１０に吊持されている。下座板１１が上座板１０に対して上限位置にある状態では、上座板１０の係止辺１０３の下面に下座板１１の当接辺１１２が当接した状態であり、下座板１１の側辺１１０の上端にある水平辺１１１と上座板１０の上辺１０１との間には空間Ｓが形成されている。
【００２２】
図２は、上座板１０と下座板１１からなる座板の部分拡大図であって、座板の長さ方向には間隔を存して複数の検知部材１２が配設されている。検知部材１２は、検知部材本体１２０と、本体１２０に設けられた検知スイッチ１２１と、検知スイッチ１２１を入切するために作動させるように本体１２０に回動自在に設けられた揺動レバー１２２とを有する。揺動レバー１２２はスプリング１２５によって下方側に付勢されている。検知部材１２は、上座板１０の上辺１０１の下面に装着されている。下降中のシャッターカーテン１の下端の下座板１１が障害物に当接すると、下座板１１が上座板１０に対して相対的に上動し、下座板１１の上動に伴って揺動レバー１２２が上方に回動されて検知スイッチ１２１が「入」となる。検知スイッチ１２１からの検知信号は空間Ｓ内を延出する配線を介して送信部８に伝達される。
【００２３】
検知部材１２は上座板１０の長さ方向に沿って、間隔を存して複数配設されているが、必ずしも全ての検知部材１２が検知スイッチ１２１を備えていなくてもよい。一つの態様では、端部に位置する一つの検知部材１２にのみ検知スイッチ１２１が設けてある。各揺動レバー１２２にはワイヤー取付部１２３が形成されており、各検知部材１２の揺動レバー１２２をワイヤー１２４によって互いに連結することで、各検知部材１２の揺動レバー１２２を同時に上方に回動させて、端部に位置する検知部材１２の検知スイッチ１２１で障害物検知を行う。全ての検知部材１２に検知スイッチ１２１を設けた場合には、揺動レバー１２２同士を連結するワイヤー１２４は必要ない。揺動レバー１２２はスプリング１２５によって下方側に付勢されており、下座板１１が上座板１０に対して下限位置にある場合には、揺動レバー１２２は下方側に回動している。
【００２４】
上座板１０の内部には、上座板１０の両端近傍、及び、各検知部材１２の間に位置させて、ガイド部材１３が設けてある。ガイド部材１３は短尺状のガイドピースであり、ガイド部材１３は、対向状の側辺１３０，１３０と、側辺１３０，１３０の上端側を連結する水平状の上辺１３１とから断面視略コ字状を有している。ガイド部材１３の上辺１３１には断面視Ｔ形状の係合部１３２が一体的に突出形成されている。ガイド部材１３は、係合部１３２を介して係止辺１０４，１０４によって形成されている溝部内を座板の長さ方向にスライド可能となっており、ガイド部材１３は、適切な位置で図示しない螺子を用いて上座板１０の上辺１０１に固着される。
【００２５】
ガイド部材１３の側辺１３０の垂直状の外面が下座板１１の側辺１１０を案内して、下座板１１の傾動を規制する垂直案内面を形成している。ガイド部材１３は好ましくは樹脂から形成されており、さらに好ましくはＰＯＭ樹脂から構成されている。ＰＯＭ樹脂は機械的強度に優れ、また、下座板１１を構成する金属との摩擦も少ない。また、ガイド部材１３の本体を金属から構成し、少なくとも垂直案内面にのみ樹脂から形成してもよい。断面視略コ字状の形状を有するガイド部材１３を図示したが、ガイド部材１３の形状は、下座板１１が障害物に当接して上座板１０に対して相対的に上動する際に、下座板１１の傾動を規制する垂直案内面を備えているものであれば、他の形状であってもよい。例えば、揺動レバー１２２同士を連結するワイヤー１２４を有しないものであれば、ガイド部材１３は直方体状のブロックであってもよい。
【００２６】
本発明に係るガイド部材の作用について図４乃至図６に基づいて説明する。通常のシャッターカーテンの降下時では、下座板１１は上座板１０に対して吊持されており、下座板１１は上座板１０に対して下限位置（上座板と下座板とからなる座板が伸長状態にある）にある（図４）。この状態では、ガイド部材１３の側辺１３０の下端部の案内面は、下座板１１の側辺１１０の上端部（水平辺１１１）より下方に延出しており、側辺１１０の上端側部とガイド部材１３の側辺１３０の下端側部の案内面とは近接対向（離間している状態も、僅かに接触している状態も含む）している。
【００２７】
降下中のシャッターカーテン２の下端の下座板１１の角部に障害物が当接した場合には、下座板１１は上座板１０に対して座板の横断方向に若干の遊びを持って吊持されているので、下座板に側方から力が作用すると下座板が上座板に対して傾動しようとする（図５）。
【００２８】
下座板１１が少し傾動すると、下座板１１の一方の側辺１１０の上端部が、対向近接するガイド部材１３の側辺１３０の一方の垂直案内面に当接し、下座板１１の他方の側辺１１０の内側面が、対向近接するガイド部材１３の他方の側辺１３０の垂直案内面の下端部に当接し、下座板１１は、その傾動が規制されながら上座板１０に対して上動し、下座板１１が十分に上動することができて揺動レバー１２２が回動して検知スイッチが入る（図６）。
【００２９】
下座板１１が上座板１０に対して上限位置にある場合であっても、下座板１１の側辺１１１（上限位置を図４で１１１aで示す）と上座板１０の上辺１０１との間には配線空間Ｓが形成されている。検知スイッチからの検知信号は配線空間Ｓを延出する図示しない配線によって送信部８に伝達される。
【産業上の利用可能性】
【００３０】
本発明は、シャッター装置、例えば、重量シャッターの障害物検知装置に利用することができる。
【図面の簡単な説明】
【００３１】
【図１】シャッター装置の全体概略図である。
【図２】シャッターカーテンの下端に設けた座板の正面図である。
【図３】図２の部分拡大図であって、障害物検知部材を示している。
【図４】本発明に係る座板部分の断面図であって、下座板が上座板に対して下限位置にある状態を示している。
【図５】図４の状態で降下するシャッターカーテンの下座板が障害物に当たって傾動した状態を示す図である。
【図６】図５の状態から傾動した下座板がガイド部材に案内されて傾動が規制されながら相対的に上動した状態を示す図である。
【図７】従来の障害物検知装置を示し、左図は下座板が上座板に対して下限位置にある状態、中央図は下座板が障害物に当接することで上動し、下座板が上座板に対して上限位置にある状態、右図は下座板の角部が障害物に当接することで傾動した状態を示す。
【符号の説明】
【００３２】
１０  上座板
１０１  上辺
１０２  側辺
１０３  係止辺
１１  下座板
１１０  側辺
１１１  係止辺
１１２  当接辺
１２  検知部材
１３  ガイド部材
１３０  側辺
Ｓ  配線空間
【図１】
2006233570.tif 000003
【図２】
2006233570.tif 000004
【図３】
2006233570.tif 000005
【図４】
2006233570.tif 000006
【図５】
2006233570.tif 000007
【図６】
2006233570.tif 000008
【図７】
2006233570.tif 000009